(57)【要約】【課題】家電機器と無線ネットワーク機器との接続を容易に行なうことができる無線接続システムを提供することである。【解決手段】無線接続システム１００は、無線ルータ２００と、携帯端末３００と、家電機器４００と、を含む。携帯端末３００は、接続情報取得機能により家電機器の通信設定における接続情報が取得され、接続情報送信機能により接続情報が無線ルータ２００に送信される。無線ルータ２００は、接続情報に基づいて家電機器４００と無線接続する。【選択図】図１
2018061278.tif 000002
【特許請求の範囲】
【請求項１】
複数の通信識別子ごとに通信を確立できる無線ネットワーク機器と、
前記無線ネットワーク機器と通信接続された携帯端末と、
通信設定が可能な通信機器と、を含み、
前記携帯端末は、
前記通信機器の通信設定における通信識別子情報と暗号化設定情報とを含む接続情報を取得する接続情報取得機能と、
前記接続情報を前記無線ネットワーク機器に送信する接続情報送信機能と、を有し、
前記無線ネットワーク機器は、
前記ネットワーク機器が確立済みの通信とは別の通信として前記携帯端末から送信された通信識別子情報と暗号化設定情報とを含む前記接続情報に基づいて前記通信機器と無線接続し、
前記無線ネットワーク機器と前記通信機器との前記無線接続の接続状況を判定し、
前記接続状況を、前記携帯端末に送信する状況送信機能をさらに含む、ことを特徴とする無線接続システム。
【請求項２】
前記無線ネットワーク機器は、
前記通信機器の通信識別子を再設定する識別子再設定機能をさらに含むことを特徴とする請求項１に記載の無線接続システム。
【請求項３】
前記無線ネットワーク機器は、
前記通信機器の暗号方式を再設定する暗号再設定機能をさらに含むことを特徴とする請求項１または２に記載の無線接続システム。
【請求項４】
前記通信機器は、前記無線ネットワーク機器との通信接続状況を表示するための表示部を持たない、請求項１から３のいずれか１項に記載の無線接続システム。
【発明の詳細な説明】
【技術分野】
【０００１】
本発明は、家電機器の無線接続システムに関する。
【背景技術】
【０００２】
従来から、無線接続に関しては、種々の工夫が施されている。特許文献１（特許第４４１６３９２号公報）には、ネットワークを構築、利用する際に、通信相手機器と無線通信する際に行なう認証処理を安全かつ容易に行なえるようにする撮像装置について開示されている。
【０００３】
特許文献１記載の撮像装置は、撮像装置であって、撮像手段と、撮像手段により撮影された画像を解析して得た情報を、通信相手の無線通信装置と無線通信する際に通信相手の無線通信装置が行なう認証処理に用いる認証情報として認識する認識手段と、通信相手の無線通信装置と無線通信する際に、認識手段により認識した認証情報を通信相手の無線通信装置に送信する通信手段と、認証情報を受信した通信相手機器からの応答に応じて、通信相手の無線通信装置に無線通信が許可されたことを確認する確認手段と、を有するものである。
【先行技術文献】
【特許文献】
【０００４】
【特許文献１】特許第４４１６３９２号公報
【発明の概要】
【発明が解決しようとする課題】
【０００５】
特許文献１に記載される撮像装置では、撮像装置であるデジタルカメラと、相手機器（図参照）との接続を容易に行なうことができる。
【０００６】
しかしながら、特許文献１の撮像装置（デジタルカメラ）と相手機器（パーソナルコンピュータ）とのいずれも表示部を有しているが、表示部を持たない機器が多く存在する。特に家電機器においては、表示部がないため、接続状況を判断することができないという問題が生じる。また、撮像装置（デジタルカメラ）で撮像し難い位置にある相手機器と無線ネットワーク機器との接続を行ないたい状況もある。
【０００７】
本発明の目的は、家電機器と無線ネットワーク機器との接続を容易に行なうことができる無線接続システムを提供することである。
【課題を解決するための手段】
【０００８】
（１）
一局面に従う無線接続システムは、無線ネットワーク機器と、無線ネットワーク機器と通信接続された携帯端末と、通信設定が可能な家電機器と、を含み、携帯端末は、家電機器の通信設定における接続情報を取得する接続情報取得機能と、接続情報を無線ネットワーク機器に送信する接続情報送信機能と、を有し、無線ネットワーク機器は、接続情報に基づいて家電機器と無線接続されたものである。
【０００９】
無線接続システムは、無線ネットワーク機器と、携帯端末と、家電機器と、を含む。
携帯端末は、接続情報取得機能により家電機器の通信設定における接続情報が取得され、接続情報送信機能により接続情報が無線ネットワーク機器に送信される。無線ネットワーク機器は、接続情報に基づいて家電機器と無線接続する。
【００１０】
この場合、家電機器における通信設定を、携帯端末を用いて容易に設定することができる。大型の家電機器または高い位置にあるエアコン、照明等の家電機器に対しても、容易に通信設定を行なうことができる。特に、表示部を有さない家電機器であっても携帯端末の表示部によりユーザが認識しつつ通信設定を行なうことができる。
【００１１】
（２）
他の局面に従う無線接続システムは、無線ネットワーク機器と、無線ネットワーク機器と通信接続された携帯端末と、通信設定が可能な家電機器と、を含み、携帯端末は、家電機器の通信設定における接続情報を取得する接続情報取得機能と、接続情報に基づいて家電機器と無線接続を行なう接続機能と、無線ネットワーク機器の通信接続における情報を送信する送信機能と、を有し、家電機器は、送信機能から送信された情報に基づいて無線ネットワーク機器と接続するものである。
【００１２】
無線接続システムは、無線ネットワーク機器と、携帯端末と、家電機器と、を含む。
携帯端末は、接続情報取得機能により家電機器の通信設定における接続情報が取得され、接続機能により接続情報に基づいて家電機器と無線接続が行なわれ、送信機能により無線ネットワーク機器の通信接続における情報が送信される。家電機器は、送信機能から送信された情報に基づいて無線ネットワーク機器と接続する。
【００１３】
この場合、家電機器における通信設定を、携帯端末を用いて容易に設定することができる。大型の家電機器または高い位置にあるエアコン、照明等の家電機器に対しても、容易に通信設定を行なうことができる。特に、表示部を有さない家電機器であっても携帯端末の表示部によりユーザが認識しつつ通信設定を行なうことができる。
【００１４】
（３）
第３の発明にかかる無線接続システムは、一局面または他の局面に従う無線接続システムにおいて、無線ネットワーク機器は、通信識別子を再設定する識別子再設定機能をさらに含んでもよい。
【００１５】
この場合、無線ネットワーク機器は、識別子再設定機能により通信識別子が再設定できるので、家電機器の通信識別子を統一させることができる。その結果、多数の通信識別子を管理するシステムを設ける必要がなくなる。
【００１６】
（４）
第４の発明にかかる無線接続システムは、一局面、他の局面または第３の発明にかかる無線接続システムにおいて、無線ネットワーク機器は、暗号を再設定する暗号再設定機能をさらに含んでもよい。
【００１７】
この場合、無線ネットワーク機器は、暗号再設定機能により暗号が再設定できるので、家電機器との間の暗号化についてセキュリティの最も高い暗号化を選択することができる。
【００１８】
（５）
第５の発明にかかる無線接続システムは、一局面、他の局面、第３および第４の発明のうちいずれか１項にかかる無線接続システムにおいて、無線ネットワーク機器は、無線ネットワーク機器と家電機器との接続状況を、携帯端末機器に送信する状況送信機能をさらに含んでもよい。
【００１９】
この場合、無線ネットワーク機器は、状況送信機能により無線ネットワーク機器と家電機器との接続状況を、携帯端末機器に送信するので、携帯端末機器によりユーザが無線ネットワーク機器と家電機器との接続状況を認識することができる。
【００２０】
（６）
第６の発明にかかる無線接続システムは、一局面、他の局面、第３および第４の発明のうちいずれか１項にかかる無線接続システムにおいて、家電機器は、無線ネットワーク機器と家電機器との接続情報を、携帯端末機器に送信する状況送信機能をさらに含んでもよい。
【００２１】
この場合、家電機器は、状況送信機能により無線ネットワーク機器と家電機器との接続状況を、携帯端末機器に送信するので、携帯端末機器によりユーザが無線ネットワーク機器と家電機器との接続状況を認識することができる。
【図面の簡単な説明】
【００２２】
【図１】本実施の形態にかかる無線接続システムの一例を示す模式図である。
【図２】通信接続方法の一例を示すフローチャートである。
【図３】図２の各機器の接続順序を示す模式図である。
【図４】通信接続方法の他の例を示すフローチャートである。
【図５】図４の各機器の接続順序を示す模式図である。
【発明を実施するための形態】
【００２３】
以下、本発明に係る実施の形態について図面を用いて説明する。
図１は、本実施の形態にかかる無線接続システム１００の一例を示す模式図である。
【００２４】
（無線接続システム１００概略）
図１に示すように、本実施の形態にかかる無線接続システム１００は、無線ルータ２００、携帯端末３００、および家電機器４００からなる。
【００２５】
図１の無線接続システム１００において、無線ルータ２００および携帯端末３００間は、既に通信接続がなされている。例えば、本実施の形態における無線ルータ２００および携帯端末３００間は、共通のＳＳＩＤ（Ｓｅｒｖｉｃｅ  Ｓｅｔ  Ｉｄｅｎｔｉｆｉｅｒ）、および暗号化ＷＥＰ（Ｗｉｒｅｄ  Ｅｑｕｉｖａｌｅｎｔ  Ｐｒｉｖａｃｙ：規格ＩＥＥＥ８０２．１１ｂ／ＩＥＥＥ８０２．１１ａ）を使用して接続されている。
【００２６】
（無線ルータ２００）
本実施の形態における無線ルータ２００は、前述のＳＳＩＤを再設定するＳＳＩＤ再設定部２１０（図示略）と、暗号化ＷＥＰを再設定する暗号化再設定部２２０（図示略）とを有する。
また、無線ルータ２００は、屋内のＬＡＮ（Ｌｏｃａｌ  Ａｒｅａ  Ｎｅｔｗｏｒｋ）５００、ＷＡＮ（Ｗｉｄｅ  Ａｒｅａ  Ｎｅｔ  Ｗｏｒｋ）６００、および外部のインターネット７００等に接続される。なお、無線ルータ２００は各通信端末が使用するＩＰアドレスまたは、デフォルトゲートウェイアドレス等を割り当てることが可能なＤＨＣＰサーバー機能を持っていてもよい。
【００２７】
（携帯端末３００）
図１に示す携帯端末３００は、カメラ３１０、表示部３２０および無線ＬＡＮシステム３４０（図示略）を含む。
【００２８】
また、携帯端末３００は、インターネット７００、および電話回線８００等に接続される。具体的に携帯端末３００は、携帯電話機（スマートフォン）である。
【００２９】
（家電機器４００）
図１に示すように、家電機器４００は、エアーコンディショナ（以下、エアコンと略記する）からなる。
また、図１においては、エアコンからなることとしているが、これに限定されず、照明器具、加熱器具、冷蔵庫、掃除機、電子レンジ、お風呂沸かし器、湯沸かし器等、その他任意の家電機器を含む。
【００３０】
ここで、家電機器４００は、無線通信部４１０およびリモコン４２０を備える。本実施の形態においては、リモコン４２０にＱＲコード（登録商標）が貼り付けられている。このＱＲコード（登録商標）は、後述する通信接続初期設定情報を含む。
【００３１】
なお、本実施の形態においてリモコン４２０に通信接続初期設定情報であるＱＲコード（登録商標）が貼り付けられていることとしているが、これに限定されず、取り扱い説明書、家電機器４００（またはエアコン４２０）の筐体、家電機器４００の収容されているダンボール等に貼り付けられていてもよい。
また、ＱＲコード（登録商標）に限定されず、二次元バーコード、ＵＲＬ等の情報であってもよい。
【００３２】
もちろん、家電機器４００（またはエアコン４２０）に液晶ディスプレイ等の表示部が設けられている場合は、その表示部にＱＲコード（登録商標）を表示可能な構成であってもよい。
その場合、リモコン４２０の所定のボタンを押すことにより表示されるようにしてもよいし、家電機器４００（またはエアコン４２０）に設けられたボタンを押すことによって表示されるようにしてもよい。
さらには、ＱＲコード（登録商標）を表示する代わりに、赤外線通信などの無線通信を使用して、通信接続初期設定情報を送信するようにしてもよい。
【００３３】
（通信接続方法）
次いで、本発明にかかる通信接続方法について説明を行なう。図２は、通信接続方法の一例を示すフローチャートであり、図３は図２の各機器の接続順序を示す模式図である。
【００３４】
図２および図３に示すように、携帯端末３００は、家電機器４００に取り付けられたＱＲコード（登録商標）を携帯端末３００のカメラ３１０により読み取る（ステップＳ１）。
すなわち、携帯端末３００は、カメラ３１０により撮像したＱＲコード（登録商標）を解析し、ＱＲコード（登録商標）に含まれる通信接続初期設定情報を取得する。当該通信接続初期設定情報には、初期設定用の識別子情報、暗号化設定情報などの無線ルータ２００と家電機器４００との無線通信を確立するための設定情報が含まれる。
【００３５】
なお、初期設定用の識別子情報はＳＳＩＤなどであり、例えば乱数または機器のＭＡＣアドレス、シリアルナンバを利用した、機器毎にユニークな識別子であってもよい。
また、設定情報として、家電機器４００が対応可能な暗号方式情報（ＷＥＰ、ＷＰＡ、ＷＰＡ２など）を含ませてもよい。
【００３６】
さらに、家電機器４００の各種設定が可能な機器設定用アドレスまたは、家電機器４００の動作状態を確認可能なステータス確認用アドレスなどの情報を含ませてもよい。
【００３７】
携帯端末３００は、カメラ３１０により読み取ったＱＲコード（登録商標）から初期設定用のＳＳＩＤ、暗号化設定情報、などの無線ルータ２００と家電機器４００との無線通信を確立するための設定情報を取得し（ステップＳ２）、その設定情報を無線ルータ２００に送信する（ステップＳ３）。
【００３８】
なお、携帯端末３００が無線ルータ２００へ設定情報を送信する場合に使用する無線ルータ２００のアドレス情報は、携帯端末３００に予め登録しておいてもよいし、携帯端末３００に設定されたデフォルトゲートウェイアドレスを無線ルータ２００のアドレスとしてもよいし、携帯端末３００から設定情報をブロードキャスト通信によって送信してもよい。
【００３９】
なお、ここで、携帯端末３００がカメラ３１０により撮像したＱＲコード（登録商標）を解析し、ＱＲコード（登録商標）に含まれる通信接続初期設定情報から初期設定用のＳＳＩＤ、暗号化設定情報、などの無線ルータ２００と家電機器４００との無線通信を確立するための設定情報を取得することとしているが、これに限定されず、通信接続初期設定情報を解析せずにそのまま無線ルータ２００に送信してもよい。その場合は、無線ルータ２００が解析を行い、設定情報を取得する。
【００４０】
次いで、無線ルータ２００は、送信された初期設定用のＳＳＩＤ、暗号化設定情報、などの無線ルータ２００と家電機器４００との無線通信を確立するための設定情報に基づいて、家電機器４００と通信を行なう（ステップＳ４）。
【００４１】
同時に、無線ルータ２００は、通信開始状況を携帯端末３００に送信する（ステップＳ５）。例えば、携帯端末３００の表示部３２０には、「家電機器４００と接続中です。」と表示される。
これにより、携帯端末３００の表示部３２０を確認したユーザは、家電機器４００と無線ルータ２００との通信状況を認識することができる。
【００４２】
そして、無線ルータ２００は、家電機器４００から応答があるか否かを判定する（ステップＳ６）。
具体的に、無線ルータ２００は、受信した通信接続初期設定情報に基づいて設定した結果、家電機器４００とリンクができるか、リンクできた場合に家電機器４００へＰｉｎｇなどのネットワークテスト信号を送信して応答があるか、または、通信接続初期設定情報に家電機器４００のステータス確認用のアドレス情報を持つ場合、そのアドレスにアクセスして応答がある否か、などの判定をおこなう。
【００４３】
当該判定により、無線ルータ２００は、家電機器４００から応答があった場合、無線ルータ２００と家電機器４００との無線通信を開始する（ステップＳ７）。
【００４４】
ここで、無線ルータ２００は、ＳＳＩＤを再設定するＳＳＩＤ再設定部２１０（図示略）により、家電機器４００とのＳＳＩＤを再設定させてもよい。
具体的には、無線ルータ２００は、通信接続初期設定情報を使用して確立した家電機器４００との通信を使用し、家電機器４００に対して、再設定するＳＳＩＤの情報を含む再設定要求信号を送信する。
【００４５】
再設定要求信号を受信した家電機器４００は、その再設定するＳＳＩＤの情報に基づいて、ＳＳＩＤの情報を変更する。そして、無線ルータ２００と家電機器４００はお互いに再設定された新しいＳＳＩＤの情報を使用して通信を確立する。
【００４６】
例えば、無線ルータ２００が、家電機器４００以外にも多くの家電機器と接続している場合には、一括のＳＳＩＤの情報を再設定し、統一化を図ることができる。
なお、無線ルータ２００は、別々に設定された複数のＳＳＩＤの情報を設定可能であり、それぞれのＳＳＩＤの情報毎に別の暗号化方式を設定可能な、所謂、マルチＳＳＩＤに対応していることが望ましい。
例えば、「ユーザが普段使用しているパソコンとの常時接続用のＳＳＩＤ」、「家電機器４００の初期設定用のＳＳＩＤ」、「家電機器４００との常時接続用のＳＳＩＤ」等である。
【００４７】
そのような場合、例えば、ユーザが普段使用しているパソコンと無線ルータ２００といった既に確立済みのＳＳＩＤまたは暗号化方式を使用した通信とは別に、新たに家電機器４００用に初期設定用のＳＳＩＤを追加して家電機器４００に対して初期設定を実施すること、または、対応している暗号方式が異なる複数の家電機器４００毎に通信を確立することができる。
すなわち、既に常時接続用として確立済みの通信には影響を与えずに、家電機器４００に対する初期設定、または、その後の通信を実施することができるため、ユーザの利便性が増す。
【００４８】
また、無線ルータ２００は、暗号化ＷＥＰを再設定する暗号化再設定部２２０（図示略）により、家電機器４００および無線ルータ２００において使用可能な暗号化のうち最もセキュリティが高い、または通信状況が好ましいものを選定し、再設定を行なってもよい。
【００４９】
具体的には、無線ルータ２００は、通信接続初期設定情報から家電機器４００が対応している暗号方式を把握し、家電機器４００および無線ルータ２００において使用可能な暗号化のうち最もセキュリティが高い暗号方式を再設定する暗号方式として選定する。
そして、通信接続初期設定情報を使用して確立した家電機器４００との通信を使用し、家電機器４００に対して、再設定する暗号方式と、その暗号方式の暗号キーの情報を含む再設定要求信号とを送信する。
【００５０】
再設定要求信号を受信した家電機器４００は、その再設定する暗号方式情報に基づいて、暗号方式と暗号キーとを変更する。
そして、無線ルータ２００と家電機器４００はお互いに再設定された新しい暗号方式と暗号キーとを使用して通信を確立する。
【００５１】
一方、ステップＳ６の処理において、無線ルータ２００が、家電機器４００と通信できない状態、すなわち、無線ルータ２００から家電機器４００に対して、通信を開始しても、所定期間家電機器４００からレスポンスがない場合、不通状況を携帯端末３００に送信する（ステップＳ８）。
【００５２】
例えば、携帯端末３００の表示部３２０には、「家電機器４００が発見できません。電波が弱いかもしれません。家電機器４００の電源を入れなおしてください。」と表示される。
これにより、携帯端末３００の表示部３２０を確認したユーザは、家電機器４００の電源を入れなおす、もしくは家電機器４００に具備されたリセットボタンを押すことができる。そして、無線ルータ２００は、所定時間後に再度、ステップＳ４の処理に戻り、処理を繰り返す。
【００５３】
なお、上記の実施の形態においては、家電機器４００からの応答が無い場合に、携帯端末３００に対して、接続状況として不通状況を送信するとしているが、例えば、「無線ルータ２００が通信接続初期設定情報を受信中」、「無線ルータ２００が通信接続初期設定情報を受信完了」、「無線ルータ２００にて受信した通信接続初期設定情報に基づいて自身を設定中」、「無線ルータ２００にて受信した通信接続初期設定情報に基づいて自身を設定完了」「家電機器４００とリンク確立中」、「家電機器４００とリンク確立完了」、「家電機器４００に対してテスト信号を送信完了」、「家電機器４００からの応答を受信完了」、など、各状況を携帯端末３００に対して送信し、携帯端末３００は各状況を確認できるようにしてもよい。
【００５４】
そして、例えば、設定の途中で問題が発生した場合、「家電機器４００の電波が弱すぎる」、「通信速度が遅すぎる」、「家電機器４００からの応答が所定時間待っても返信がない」、など、その旨を携帯端末３００に対して送信してもよい。
以上のように、ユーザは、無線ルータ２００と家電機器４００との間の各状況を把握することが可能となり、また、何か問題が発生した場合においても、ユーザは問題を認識することができる。その結果、ユーザは、問題に対処することが可能となる。
【００５５】
また、停電またはその他事情により、家電機器４００と通信が不通となった場合、無線ルータ２００は、停電の場合には、電力復活後に、通信断状況を携帯端末３００に送信する（ステップＳ９）。
【００５６】
例えば、携帯端末３００の表示部３２０には、「停電等により家電機器４００と通信ができません。再設定をしてください。」と表示される。
これにより、携帯端末３００の表示部３２０を確認したユーザは、ステップＳ１の処理に戻り、処理を繰り返す。
【００５７】
なお、何らかの事情により家電機器４００と通信が不通になったことを確認するために、無線ルータ２００は、例えば家電機器４００とのリンク状態を確認し、リンクが切れていると判定した場合、または、所定の時間毎に家電機器４００へネットワークテスト信号を送信、または、ステータス確認用のアドレスにアクセスし、その応答に応じて携帯端末３００に無線ルータ２００と家電機器４００との間の通信状況を送信し、携帯端末３００の表示部３２０を使用して、ユーザがその通信状況を表示できるようにしてもよい。
【００５８】
（他の通信接続方法）
続いて、本発明にかかる他の通信接続方法について説明を行なう。図４は、通信接続方法の他の例を示すフローチャートであり、図５は図４の各機器の接続順序を示す模式図である。以下、図４および図５の通信接続方法が、図２および３の通信接続方法と異なる点について説明を行なう。
【００５９】
図４および図５に示すように、携帯端末３００は、家電機器４００に取り付けられたＱＲコード（登録商標）を携帯端末３００のカメラ３１０により読み取る（ステップＳ１１）。
【００６０】
次に、携帯端末３００は、カメラ３１０により読み取ったＱＲコード（登録商標）に含まれる通信接続初期設定情報から初期設定用の識別子情報、暗号化設定情報などの携帯端末３００と家電機器４００との無線通信を確立するための設定情報を取得する（ステップＳ１２）。
【００６１】
なお、初期設定用の識別子情報はＳＳＩＤなどであり、例えば乱数または機器のＭＡＣアドレス、シリアルナンバを利用した、機器毎にユニークな識別子等が含まれてもよい。
また、Ｂｌｕｅｔｏｏｔｈ（登録商標）通信におけるペアリングに必要な情報（ＰＩＮコードなど）であってもよく、設定情報として、家電機器４００が対応可能な暗号方式情報（ＷＥＰ、ＷＰＡ、ＷＰＡ２など）が含まれてもよい。
【００６２】
さらに、家電機器４００の各種設定が可能な機器設定用アドレスまたは、家電機器４００の動作状態を確認可能なステータス確認用アドレスなどの情報を含ませてもよい。
【００６３】
そして、既に通信が確立済みの無線ルータ２００へ、ルータ初期設定情報を要求する（ステップＳ１３）。
なお、携帯端末３００が無線ルータ２００へルータ初期設定情報の要求を送信する場合に使用する無線ルータ２００のアドレス情報は、携帯端末３００に予め登録しておいてもよいし、携帯端末３００に設定されたデフォルトゲートウェイアドレスを無線ルータ２００のアドレスとしてもよいし、携帯端末３００からルータ初期設定情報の要求をブロードキャスト通信によって送信してもよい。
【００６４】
当該要求を受けた無線ルータ２００は、ルータ初期設定情報を携帯端末３００へ送信し、携帯端末３００はルータ初期設定情報を取得する（ステップＳ１４）。
ここで、ルータ初期設定情報とは、初期設定用のＳＳＩＤ、暗号化設定情報、などの無線ルータ２００と家電機器４００との無線通信を確立するための設定情報である。
【００６５】
なお、携帯端末３００は、家電機器４００が対応可能な暗号方式情報が含まれる通信接続初期設定情報に基づいて、家電機器４００および無線ルータ２００において使用可能な暗号化のうち最もセキュリティが高い暗号方式を設定する暗号方式として選定してもよく、その暗号方式を使用するルータ初期設定情報を無線ルータ２００から取得してもよい。
なお、携帯端末３００は、その通信接続初期設定情報を無線ルータ２００に送信し、無線ルータ２００が暗号方式を選定してもよい。
【００６６】
そして、携帯端末３００は家電機器４００のＱＲコード（登録商標）から取得した設定情報を使用して、例えばＢｌｕｅｔｏｏｔｈ（登録商標）通信の場合はペアリングを実施してお互いが通信可能な状態とし、ルータ初期設定情報を家電機器４００に送信する（ステップＳ１５）。
【００６７】
もちろん、Ｂｌｕｅｔｏｏｔｈ（登録商標）に限定されず、例えば、ＱＲコード（登録商標）から取得した設定情報に基づき、赤外線通信によってお互いが通信可能な状態とし、家電機器４００に対してルータ初期設定情報を送信してもよい。
そして、家電機器４００は、携帯端末３００から取得したルータ初期設定情報に基づいて、無線ルータ２００に対して通信を行なう（ステップＳ１６）。
【００６８】
そして、家電機器４００は、無線ルータ２００から応答があるか否かを判定する（ステップＳ１７）。
具体的には、家電機器４００は、受信したルータ初期設定情報に基づいて設定した結果、無線ルータ２００とリンクができるか、リンクできた場合に無線ルータ２００へＰｉｎｇなどのネットワークテスト信号を送信した場合に応答があるか否か、などの判定をおこなう。この判定により、家電機器４００は、無線ルータ２００から応答があった場合、無線ルータ２００と家電機器４００との無線通信を開始する（ステップＳ１８）。
【００６９】
同時に、家電機器４００は、通信開始状況を携帯端末３００に送信してもよい。例えば、携帯端末３００の表示部３２０には、「無線ルータ２００と家電機器４００とを接続中です。」と表示される。これにより、携帯端末３００の表示部３２０を確認したユーザは、家電機器４００と無線ルータ２００との通信状況を認識することができる。
【００７０】
一方、ステップＳ１７の処理において、家電機器４００が、無線ルータ２００と通信できない状態、すなわち、家電機器４００から無線ルータ２００に対して、通信を開始しても、所定期間無線ルータ２００からレスポンスがない場合、不通状況を携帯端末３００に送信する（ステップＳ１９）。
【００７１】
例えば、携帯端末３００の表示部３２０には、「無線ルータ２００が発見できません。」と表示される。これにより、携帯端末３００の表示部３２０を確認したユーザは、所定時間後に再度、ステップＳ１５の処理に戻り、処理を繰り返す。
【００７２】
なお、無線ルータ２００からの応答が無い場合に携帯端末３００に対して、接続状況として不通状況を送信するとしているが、適宜、携帯端末３００に対して設定状況または通信状態を送信し、携帯端末３００が各状況を確認できるようにしてもよい。
例えば、設定の途中で問題が発生した場合、その旨を携帯端末３００に対して送信してもよい。そうした場合、ユーザは、無線ルータ２００と家電機器４００との間の各状況を把握することが可能となり、また、何か問題が発生した場合においても、対処することが可能となる。
【００７３】
また、停電またはその他事情により、無線ルータ２００と通信が不通となった場合、家電機器４００は、停電の場合には、電力復活後に、通信断状況を携帯端末３００に送信する（ステップＳ２０）。
例えば、携帯端末３００の表示部３２０には、「停電等により無線ルータ２００と通信ができません。再設定をしてください。」と表示される。これにより、携帯端末３００の表示部３２０を確認したユーザは、ステップＳ１１の処理に戻り、処理を繰り返す。
【００７４】
以上のように、家電機器４００における通信設定を、携帯端末３００を用いて容易に設定することができる。大型の家電機器４００または高い位置にあるエアコン、照明等の家電機器４００に対しても、容易に通信設定を行なうことができる。特に、表示部を有さない家電機器４００であっても携帯端末３００の表示部３２０によりユーザが認識しつつ通信設定を行なうことができる。
【００７５】
また、無線ルータ２００は、ＳＳＩＤ再設定部２１０によりＳＳＩＤの再設定を行なうことができるので、家電機器４００のＳＳＩＤを統一させることができる。その結果、多数のＳＳＩＤを管理するシステムを別途設ける必要がなくなる。
【００７６】
さらに、無線ルータ２００は、暗号化再設定部２２０により暗号化ＷＥＰを再設定できるので、家電機器４００との間の暗号化についてセキュリティの最も高いものを選択することができる。
【００７７】
また、無線ルータ２００は、状況送信機能により接続状況を、携帯端末３００に送信するので、ユーザは、接続状況を容易に認識することができる。
【００７８】
なお、上記の実施の形態においては、携帯端末３００のカメラ３１０によりＱＲコード（登録商標）を読み取ることとしているが、これに限定されず、Ｂｌｕｅｔｏｏｔｈ（登録商標）、位置情報認識（ＧＰＳ）、赤外線通信、内蔵ジャイロセンサによる読み取り等、を用いてもよい。
【００７９】
例えば、家電機器４００と携帯端末３００とがＢｌｕｅｔｏｏｔｈ（登録商標）、または家電機器４００の多くが使用する赤外線通信で通信可能としてもよく、携帯端末３００のＧＰＳを使って無線ルータ２００に対して家電機器４００の位置情報を送信してもよく、携帯端末３００の内蔵ジャイロセンサを用いて上述の通信または位置情報取得等のトリガとしてもよい。
【００８０】
さらに、本実施の形態においては、携帯端末３００と無線ルータ２００とが、無線通信のみならず、インターネット７００を通じて通信可能であるため、携帯端末３００を外部に持ち出し、家電機器４００の稼動停止または制御を行なうことができる。
【００８１】
例えば、家電機器４００がダイナミックＤＮＳに対応している場合、携帯端末３００は通信接続初期設定情報を入手するタイミングなど、無線ルータ２００と家電機器４００との接続設定の任意タイミングで、家電機器４００がダイナミックＤＮＳで使用するホスト名および／またはパスワードの情報を入手する。
【００８２】
そして、無線ルータ２００と家電機器４００との接続設定が完了した後、携帯端末３００は、インターネット上のダイナミックＤＮＳサーバー（図示略）にそのホスト名および／またはパスワードの情報を使って家電機器４００のＩＰアドレスを入手する。それにより、インターネット７００を通じて家電機器４００にアクセスすることが可能となる。そして、家電機器４００の制御を行なうことが可能となる。
【００８３】
または、無線ルータ２００がダイナミックＤＮＳに対応している場合、携帯端末３００は無線ルータ２００と家電機器４００との接続設定の任意タイミングで無線ルータ２００がダイナミックＤＮＳで使用するホスト名および／またはパスワードの情報を入手する。
【００８４】
そして、携帯端末３００は、インターネット上のダイナミックＤＮＳサーバー（図示略）にそのホスト名および／またはパスワードの情報を使って無線ルータ２００のＩＰアドレスを入手し、インターネット７００を通じて無線ルータ２００に対して家電機器４００へ制御信号を送信するように指示する。それにより、インターネット７００を通じて家電機器４００にアクセスすることが可能となり、そして、制御を行なうことが可能となる。
【００８５】
本発明においては、無線接続システム１００が無線接続システムに相当し、無線ルータ２００が無線ネットワーク機器に相当し、家電機器４００が家電機器に相当し、携帯端末３００が携帯端末に相当する。
【００８６】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８７】
１００  無線接続システム
２００  無線ルータ
３００  携帯端末
４００  家電機器
【図１】
2018061278.tif 000003
【図２】
2018061278.tif 000004
【図３】
2018061278.tif 000005
【図４】
2018061278.tif 000006
【図５】
2018061278.tif 000007